(57)【要約】【課題】  １台又は複数台の室外機と複数台の室内機とを備え、冷房室内及び暖房室内を快適に保つことができるガスエンジン駆動式空気調和装置を提供する。【解決手段】  ガスエンジン駆動式空気調和装置１は、冷媒を圧縮して吐出する圧縮機１１と、圧縮機１１を駆動するガスエンジン１２と、ガスエンジン１２を冷却するラジエーター１３と、冷媒と室外空気との間で熱伝達を生じさせる室外熱交換器１７と、ラジエーター１３の放熱器１３１及び室外熱交換器１７に室外空気を吹き付ける冷却ファン１８とを備える。制御装置ＣＴは、室外熱交換器１７を凝縮器として運転する際、高圧相当温度の現在値ＴＰＨＰ、及びラジエーター１３の冷却液の温度の現在値ＴＰＷに基づいて、冷却ファン１８を制御するとともに、室外熱交換器１７の伝熱面積を変更する、【選択図】  図１
2019158249.tif 000002
【特許請求の範囲】
【請求項１】
１台又は複数台の室外機及び複数台の室内機に冷媒を循環させて室内空気の温度を調整するガスエンジン駆動式空気調和装置であって、
前記冷媒と前記室内空気との間で熱伝達を生じさせる複数の室内熱交換器と、
前記冷媒を吸入するとともに圧縮して吐出する圧縮機と、
前記圧縮機を駆動するガスエンジンと、
放熱器を備え、前記放熱器と前記ガスエンジンに冷却液を循環させて前記ガスエンジンを冷却するラジエーターと、
前記冷媒と室外空気との間で熱伝達を生じさせる室外熱交換器と、
前記ラジエーターの放熱器及び前記室外熱交換器に室外空気を吹き付ける冷却ファンと、
前記冷媒の流れをそれぞれ制御する複数の弁と、
前記圧縮機の吸入口側における前記冷媒に関する物理量を表す低圧側物理量の現在値が、所定の低圧側物理量の目標値に一致し、且つ前記圧縮機の吐出口側における前記冷媒に関する物理量を表す高圧側物理量の現在値が所定の高圧側物理量の目標値にそれぞれ一致するように前記ガスエンジンの回転数及び前記複数の弁の開度を制御する制御装置と、
を備え、
前記制御装置は、前記室外熱交換器を凝縮器として運転する際、前記高圧側物理量の現在値、及び前記ラジエーターの冷却液の温度の現在値に基づいて、前記冷却ファンを制御するとともに、前記室外熱交換器の伝熱面積を変更する、ガスエンジン駆動式空気調和装置。
【請求項２】
請求項１に記載のガスエンジン駆動式空気調和装置において、
前記室外熱交換器は、伝熱面積の異なる第１室外熱交換器及び第２室外熱交換器から構成され、
前記制御装置は、前記高圧側物理量の現在値、及び前記ラジエーターの冷却液の温度の現在値に基づいて、前記第１室外熱交換器又は前記第２室外熱交換器のうちのいずれか一方に前記冷媒を流通させる、ガスエンジン駆動式空気調和装置。
【請求項３】
請求項１又は２に記載のガスエンジン駆動式空気調和装置において、
前記高圧側物理量の現在値が所定値より小さいとき、前記室外熱交換器の伝熱面積を減少させる、ガスエンジン駆動式空気調和装置。
【発明の詳細な説明】
【技術分野】
【０００１】
本発明は、ガスエンジン駆動式空気調和装置に関する。
【背景技術】
【０００２】
例えば、下記特許文献１に記載されているように、１台の室外機及び複数台の室内機に冷媒を循環させて室内空気の温度を調整するガスエンジン駆動式空気調和装置は知られている。各室内機は、室内空気と冷媒との間で熱伝達を生じさせるための室内熱交換器を備える。室外機は、冷媒を圧縮して吐出する圧縮機、室外空気と冷媒との間で熱伝達を生じさせるための室外熱交換器、室外熱交換器に室外空気を吹き付ける冷却ファン、冷媒の流れを制御するための各種弁を備える。なお、このガスエンジン駆動式空気調和装置の圧縮機がガスエンジンによって回転駆動される。このガスエンジン駆動式空気調和装置は、ガスエンジンを冷却するラジエーターを備える。
【０００３】
ここで、一般に、空気調和装置（室内機）を冷房装置として運転する場合、圧縮機の吸入口側における冷媒の圧力又は飽和温度が比較的低いことが好ましい。一方、空気調和装置（室内機）を暖房装置として運転する場合、圧縮機の吐出口側における冷媒の圧力又は飽和温度が比較的高いことが好ましい。そこで、冷房運転時には、圧縮機の吸入口側における冷媒の圧力又は飽和温度の目標値が比較的低く設定される。そして、圧縮機の吸入口側における冷媒の圧力又は飽和温度の現在値が目標値に近づくように、圧縮機の回転数、各種弁の開度などが調整される。一方、暖房運転時には、圧縮機の吐出口側における冷媒の圧力又は飽和温度の目標値が比較的高く設定される。そして、圧縮機の吐出口側における冷媒の圧力又は飽和温度の現在値が目標値に近づくように、圧縮機の回転数、各種弁の開度などが調整される。
【０００４】
特許文献１のガスエンジン駆動式空気調和装置は、前記複数の室内機のうちのいくつかの室内機を冷房装置として運転するとともに、他のいくつかの室内機を暖房装置として運転可能に構成されている。この場合、圧縮機の吸入口側における冷媒の圧力又は飽和温度の目標値が比較的低く設定されるとともに、圧縮機の吐出口側における冷媒の圧力又は飽和温度の目標値が比較的高く設定される。すなわち、この場合、圧縮機の吸入口側の圧力と吐出口側の圧力との差（冷媒の圧縮比）を比較的大きく保つ必要がある。よって、圧縮機の負荷が比較的高い。
【先行技術文献】
【特許文献】
【０００５】
【特許文献１】特開２００７‐１２７３６９号公報
【発明の概要】
【０００６】
ここで、室外熱交換器用の冷却ファンによって、室外熱交換器のみならず、ラジエーターの放熱フィンにも室外空気が吹き付けられるように構成されれば、ラジエーター用の冷却ファンと室外熱交換器用の冷却ファンとを別々に設ける場合に比べて、室外機の構成を簡略化できる。ここで、例えば、全ての室内機を冷房装置として運転（全冷房運転と呼ぶ）するとき、又は暖房装置として運転する室内機よりも冷房装置として運転する室内機の方が多い（冷房メイン運転と呼ぶ）とき、室外熱交換器が凝縮器として運転される。これらの場合、室外熱交換器にて冷媒が凝縮し易い運転条件下（例えば低温環境下）では、圧縮機の吐出口側における冷媒の圧力又は飽和温度が比較的低下する。全冷房運転では、圧縮機の吐出口側における冷媒の圧力又は飽和温度が比較的低下しても、冷房室内の快適性には影響がない。しかし、冷房メイン運転では、圧縮機の吐出口側における冷媒の圧力又は飽和温度が比較的低下すると、暖房室内の快適性が損なわれる虞がある。そこで、冷却ファンの回転数を低下させて室外熱交換器への送風量を低減させることにより、冷媒の凝縮を少し抑制して、圧縮機の吐出口側における冷媒の圧力又は飽和温度を適切な値に保つことができる。しかし、上記のように、冷却ファンを室外熱交換器及びラジエーターに共用した場合に冷却ファンの回転数を低下させると、ガスエンジンの冷却効率が低下する。そのため、ガスエンジンの回転数を低下させなければならなくなる。つまり、圧縮機による冷媒の圧縮比を低下させざるを得なくなり、結果として、圧縮機の吐出口側における冷媒の圧力又は飽和温度がさらに低下してしまう。
【０００７】
本発明は、１台又は複数台の室外機と複数台の室内機とを備え、冷房室内及び暖房室内を快適に保つことができるガスエンジン駆動式空気調和装置を提供することを目的とする。なお、下記本発明の各構成要件の記載においては、本発明の理解を容易にするために、実施形態の対応箇所の符号を括弧内に記載しているが、本発明の各構成要件は、実施形態の符号によって示された対応箇所の構成に限定解釈されるべきものではない。
【０００８】
上記目的を達成するために、本発明の特徴は、１台又は複数台の室外機及び複数台の室内機に冷媒を循環させて室内空気の温度を調整するガスエンジン駆動式空気調和装置（１）であって、前記冷媒と前記室内空気との間で熱伝達を生じさせる複数の室内熱交換器（２１）と、前記冷媒を吸入するとともに圧縮して吐出する圧縮機（１１）と、前記圧縮機を駆動するガスエンジン（１２）と、放熱器（１３１）を備え、前記放熱器と前記ガスエンジンに冷却液を循環させて前記ガスエンジンを冷却するラジエータ（１３）と、前記冷媒と室外空気との間で熱伝達を生じさせる室外熱交換器（１７）と、前記ラジエーターの放熱器及び前記室外熱交換器に室外空気を吹き付ける冷却ファン（１８）と、前記冷媒の流れをそれぞれ制御する複数の弁（１５,１６,１ａ,１ｂ）と、前記圧縮機の吸入口側における前記冷媒に関する物理量を表す低圧側物理量の現在値が、所定の低圧側物理量の目標値に一致し、且つ前記圧縮機の吐出口側における前記冷媒に関する物理量を表す高圧側物理量の現在値（ＴＰＨＰ）が所定の高圧側物理量の目標値（ＴＴＨＰ）にそれぞれ一致するように前記ガスエンジンの回転数及び前記複数の弁の開度を制御する制御装置（ＣＴ）と、を備え、前記制御装置は、前記室外熱交換器を凝縮器として運転する際、前記高圧側物理量の現在値、及び前記ラジエーターの冷却液の温度の現在値に基づいて、前記冷却ファンを制御するとともに、前記室外熱交換器の伝熱面積を変更する、ガスエンジン駆動式空気調和装置としたことにある。
【０００９】
この場合、前記室外熱交換器は、伝熱面積の異なる第１室外熱交換器及び第２室外熱交換器から構成され、前記制御装置は、前記高圧側物理量の現在値、及び前記ラジエーターの冷却液の温度の現在値に基づいて、前記第１室外熱交換器又は前記第２室外熱交換器のうちのいずれか一方に前記冷媒を流通させるとよい。
【００１０】
また、この場合、前記高圧側物理量の現在値が所定値（ＴＴＨ）より小さいとき、前記室外熱交換器の伝熱面積を減少させてもよい。
【００１１】
本発明に係るガスエンジン駆動式空気調和装置によれば、ガスエンジンの冷却を促進する必要がある場合であって、且つ室外熱交換器における冷媒の凝縮を抑制する必要がある場合には、冷却ファンの回転数を増大させるとともに、室外熱交換器の伝熱面積を小さく設定することができる。これによれば、ガスエンジンを適切に冷却してガスエンジンの回転数を維持しつつ、冷媒の凝縮を抑制して高圧側物理量を目標値に近づけることができる。よって、本発明によれば、冷房メイン運転において、冷房室内及び暖房室内の快適性を保つことができる。
【図面の簡単な説明】
【００１２】
【図１】本発明の一実施形態に係るガスエンジン駆動式空気調和装置の概略構成を示す回路図であり、冷房メイン運転の第１モードにおける冷媒の流れを示す回路図である。
【図２】冷房メイン運転の第２モードにおける冷媒の流れを示す回路図である。
【図３】室外熱交換器及び冷却ファン制御処理のメインルーチンを示すフローチャートである。
【図４】室外熱交換器及び冷却ファン制御処理の第１のサブルーチン（処理Ａ）を示すフローチャートである。
【図５】室外熱交換器及び冷却ファン制御処理の第２のサブルーチン（処理Ｂ）を示すフローチャートである。
【図６】室外熱交換器及び冷却ファン制御処理の第３のサブルーチン（処理Ｃ）を示すフローチャートである。
【図７】室外熱交換器及び冷却ファン制御処理の第４のサブルーチン（処理Ｄ）を示すフローチャートである。
【図８】本発明の変形例に係る室外熱交換器及び冷却ファン制御処理のフローチャートである。
【発明を実施するための形態】
【００１３】
以下、本発明の一実施形態に係るガスエンジン駆動式空気調和装置１について説明する。ガスエンジン駆動式空気調和装置１は、図１及び図２に示すように、１台の室外機１０と複数台の室内機（室内機２０Ａ，２０Ｂ，・・・）とを備える。また、ガスエンジン駆動式空気調和装置１は、室外機１０、室内機２０Ａ，２０Ｂ，・・・を循環する冷媒の流路としての冷媒管３０を備える。つまり、室外機１０、室内機２０Ａ,２０Ｂ，・・・の各構成部品が、冷媒管３０を構成する複数の管で接続されている。また、ガスエンジン駆動式空気調和装置１は、室外機１０、室内機２０Ａ,２０Ｂ，・・・を制御する制御装置ＣＴを備える。室外機１０、室内機２０Ａ，２０Ｂ，・・・内の装置の構成は周知の空気調和装置と同様である。以下、室外機１０、室内機２０Ａ，２０Ｂ，・・・の構成について簡単に説明しておく。
【００１４】
室外機１０は、圧縮機１１、ガスエンジン１２、ラジエーター１３、オイルセパレーター１４、第１四方切替弁１５、第２四方切替弁１６、室外熱交換器１７（第１室外熱交換器１７１及び第２室外熱交換器１７２）、冷却ファン１８、第１膨張弁１ａ、第２膨張弁１ｂ、レシーバー１ｃ、ブリッジバルブ１ｄ、過冷却コイル１ｅ、アキュムレーター１ｆ及び逆止弁１ｇを備える。本実施形態では、圧縮機１１として、スクロール式圧縮機を採用している。圧縮機１１は吸入口及び吐出口を有する。圧縮機１１は、吸入口から低圧ガス状の冷媒を吸入し、吸入した冷媒を圧縮して吐出口から吐出する。圧縮機１１とガスエンジン１２の回転駆動軸が図示しないクラッチ装置、駆動ベルトなどを介して接続されている。ガスエンジン１２の回転駆動力が圧縮機１１に伝達されて、圧縮機１１が駆動される。ガスエンジン１２の本体部には、冷却水の循環経路（パイプ又は孔）が設けられている。
【００１５】
ラジエーター１３は、放熱器１３１を備える。ラジエーター１３は、ガスエンジン１２の本体部及び放熱器１３１に冷却水を循環させてガスエンジンを冷却する。オイルセパレーター１４は、圧縮機１１から吐出された冷媒に含まれる圧縮機用潤滑油を分離して貯留し、冷媒のみを吐出する。
【００１６】
第１四方切替弁１５と第２四方切換弁１６の構成は同一である。第１四方切替弁１５及び第２四方切換弁１６は、４個のポートＰ１〜Ｐ４をそれぞれ有する。第１四方切替弁１５及び第２四方切換弁１６は、ポートＰ１とポートＰ４とが連通し、且つポートＰ２とポートＰ３とが連通した第１の状態と、ポートＰ１とポートＰ２とが連通し、且つポートＰ３とポートＰ４とが連通した第２の状態とを切り替え可能である。
【００１７】
室外熱交換器１７は、第１室外熱交換器１７１及び第２室外熱交換器１７２を備える。第１室外熱交換器１７１及び第２室外熱交換器１７２は、フィンを備えた複数のパイプからそれぞれ構成される。第１室外熱交換器１７１は、ポート１７１ａ及びポート１７１ｂを備える。一方のポート１７１ａ（１７１ｂ）に導入された冷媒が前記複数のパイプを通って他方のポート１７１ｂ（１７１ａ）から吐出される。第２室外熱交換器１７２は、ポート１７２ａ及びポート１７２ｂを備える。一方のポート１７２ａ（１７２ｂ）に導入された冷媒が前記複数のパイプを通って他方のポート１７２ｂ（１７２ａ）から吐出される。第１室外熱交換器１７１の伝熱面積（フィンの表面積）が、第２室外熱交換器１７２の伝熱面積よりも大きい。
【００１８】
ラジエーター１３の放熱器１３１、第１室外熱交換器１７１及び第２室外熱交換器１７２は近接配置されている。冷却ファン１８は、ラジエーター１３の放熱器１３１、第１室外熱交換器１７１及び第２室外熱交換器１７２に対面配置されている。冷却ファン１８は、室外空気をラジエーター１３の放熱器１３１、第１室外熱交換器１７１及び第２室外熱交換器１７２に吹き付ける。冷却ファンの１９の回転数が後述する制御装置ＣＴによって制御されて風量が変更される。
【００１９】
第１膨張弁１ａ及び第２膨張弁１ｂは、冷媒を減圧させる。レシーバー１ｃは、液化した冷媒を一時的に貯留する。
【００２０】
ブリッジバルブ１ｄは、逆止弁１ｄ１，１ｄ２，１ｄ３，１ｄ４から構成されている。逆止弁１ｄ１の出力ポートと逆止弁１ｄ２の出力ポートとが連通している。逆止弁１ｄ３の入力ポートと逆止弁１ｄ４の入力ポートとが連通している。逆止弁１ｄ１の入力ポートと逆止弁１ｄ３の出力ポートとが連通している。また、逆止弁１ｄ２の入力ポートと逆止弁１ｄ４の出力ポートとが連通している。
【００２１】
過冷却コイル１ｅは、本体部１ｅ１と過冷却調整弁１ｅ２を備える。本体部１ｅ１は、冷媒が流通する２つの流路Ｒａ，Ｒｂを備える。流路Ｒａの一端と流路Ｒｂの一端との間に過冷却調整弁１ｅ２が設けられている。流路Ｒａを流通した冷媒の一部が過冷却調整弁１ｅ２を通過して他方の流路Ｒｂを流通する。これにより、流路Ｒａを流通する冷媒の過冷却度が高められる。
【００２２】
アキュムレーター１ｆは、液状の冷媒とガス状の冷媒とを分離する。逆止弁１ｇは、冷媒の所定の方向への流れを許容し、反対方向への流れを禁止する。
【００２３】
つぎに、室内機２０Ａ,２０Ｂ,・・・の構成について説明する。室内機２０Ａ，２０Ｂ，・・・の構成は同一である。室内機２０Ａ，２０Ｂ，・・・は、室内熱交換器２１、膨張弁２２及び分流装置２３をそれぞれ備える。室内熱交換器２１は、フィンを備えた複数のパイプから構成される。室内熱交換器２１は、ポート２１ａ及びポート２１ｂを備える。一方のポート２１ａ（２１ｂ）に導入された冷媒が前記複数のパイプを通って他方のポート２１ｂ（２１ａ）から吐出される。膨張弁２２は、冷媒を減圧させる。分流装置２３は、２つの開閉弁２３ａ，２３ｂを備える。
【００２４】
つぎに、ガスエンジン駆動式空気調和装置１の各構成部品の接続関係について説明する。圧縮機１１の吐出口と第１四方切替弁１５のポートＰ１とがオイルセパレーター１４を介して接続されている。また、圧縮機１１の吐出口と第２四方切替弁１６のポートＰ１とがオイルセパレーター１４を介して接続されている。第１四方切替弁１５のポートＰ４と第１室外熱交換器１７１のポート１７１ａとが接続されている。第２四方切替弁１６のポートＰ４と第２室外熱交換器１７２のポート１７２ａとが接続されている。第１四方切替弁１５のポートＰ３と逆止弁１ｇの入力ポートとが接続されている。第２四方切替弁１６のポートＰ３と逆止弁１ｇの入力ポートとが接続されている。逆止弁１ｇの出力ポートとアキュムレーター１ｆの入力ポートとが接続されている。アキュムレーター１ｆの出力ポートと圧縮機１１の吸入口とが接続されている。なお、第１四方切替弁１５及び第２四方切替弁１６のポートＰ２はそれぞれ閉鎖されている。
【００２５】
また、第１室外熱交換器１７１のポート１７１ｂ（第１四方切替弁１５とは反対側）と逆止弁１ｄ１の入力ポート（逆止弁１ｄ３の出力ポート）とが、膨張弁１ａを介して接続されている。第２室外熱交換器１７２のポート１７２ｂ（第２四方切替弁１６とは反対側）と逆止弁１ｄ１の入力ポート（逆止弁１ｄ３の出力ポート）とが、膨張弁１ｂを介して接続されている。逆止弁１ｄ１の出力ポート（逆止弁１ｄ２の出力ポート）とレシーバー１ｃの入力ポートとが接続されている。レシーバー１ｃの出力ポートと過冷却コイル１ｅの流路Ｒａとが接続されている。流路Ｒａと流路Ｒｂとが過冷却調整弁１ｅ２を介して接続されている。流路Ｒｂとアキュムレーター１ｆの入力ポートとが接続されている。流路Ｒａと逆止弁１ｄ３（逆止弁１ｄ４）の入力ポートとが接続されている。また、逆止弁１ｄ４の出力ポート（逆止弁１ｄ２の入力ポート）と各室内熱交換器２１のポート２１ａとが、膨張弁２２を介して接続されている。
【００２６】
また、各室内熱交換器２１のポート２１ｂが、開閉弁２３ａを介して、第１四方切替弁１４とオイルセパレーター１４との中間点（分岐点３ａ）に接続されている。また、各室内熱交換器２１のポート２１ｂが開閉弁２３ｂを介して、逆止弁１ｇとアキュムレーター１ｆとの中間点（分岐点３ｂ）に接続されている。
【００２７】
ここで、冷媒管３０のうち、液状の冷媒が流通する部分を液管３１と呼ぶ。また、冷媒管３０のうち、高圧ガス状の冷媒が流通する部分を高圧ガス管３２と呼び、低圧ガス状の冷媒が流通する部分を低圧ガス管３３と呼ぶ。
【００２８】
液管３１、高圧ガス管３２及び低圧ガス管３３の中間部のうちの室外機１０側の部分と、室内機２０Ａ，２０Ｂ，・・・側の部分とが、ボールバルブ４１，４２，４３を介して接続されている。具体的には、ボールバルブ４１は、ブリッジバルブ１ｄと膨張弁２２との間に設けられている。また、ボールバルブ４２は、分岐点３ａと開閉弁２３ａとの間に設けられている。また、ボールバルブ４３は、分岐点３ｂと開閉弁２３ｂとの間に設けられている。
【００２９】
また、ガスエンジン駆動式空気調和装置１は、各部の温度、圧力などをそれぞれ検出する複数のセンサを備える。例えば、ガスエンジン駆動式空気調和装置１は、圧縮機１１の吸入口における冷媒の圧力を検出する低圧センサ５１及び圧縮機１１の吐出口における冷媒の圧力を検出する高圧センサ５２を備える。また、ガスエンジン駆動式空気調和装置１は、ラジエーター１３の冷却水の温度を検出する温度センサ５３を備える。
【００３０】
制御装置ＣＴは、演算装置、メモリ、タイマーなどからなるマイクロコンピュータを備える。制御装置ＣＴは、ユーザーが、各室内機の空調モード（冷房モード又は暖房モード）、目標の室温、風量などを設定する際に用いるスイッチ、表示装置などを備えた操作パネルを含む。これらの設定情報は、制御装置ＣＴのマイクロコンピュータに入力される。制御装置ＣＴは、上記の設定情報、各種センサから取得した圧力情報及び温度情報に基づいて、室外機１０及び室内機２０Ａ，２０Ｂ，・・・を制御する。
【００３１】
つぎに、冷媒の流れについて説明する。上記のように構成されたガスエンジン駆動式空気調和装置１は、すべての室内機２０Ａ，２０Ｂ，・・・を冷房装置として運転（全冷房運転）することができるように構成されている。また、ガスエンジン駆動式空気調和装置１は、すべての室内機２０Ａ，２０Ｂ，・・・を暖房装置として運転（全暖房運転）することができるように構成されている。また、ガスエンジン駆動式空気調和装置１は、室内機２０Ａ，２０Ｂ，・・・のうちのいくつかの室内機を暖房装置として運転し、他のいくつかの室内機を冷房装置として運転することができるように構成されている。室内機２０Ａ，２０Ｂ，・・・のうち、暖房装置として運転する室内機より冷房装置として運転する室内機の方が多い運転状態を冷房メイン運転と呼ぶ。逆に、室内機２０Ａ，２０Ｂ，・・・のうち、冷房装置として運転する室内機より暖房装置として運転する室内機の方が多い運転状態を暖房メイン運転と呼ぶ。
【００３２】
本発明は、室外熱交換器１７を凝縮器として運転する場合の室外熱交換器１７の伝熱面積の制御及び冷却ファン１８の制御に関する。とくに、本発明は、冷房メイン運転における室外熱交換器１７の伝熱面積の制御及び冷却ファン１８の制御に関する。そこで、以下、冷房メイン運転における冷媒の流れについて説明し、その他の運転状態（全冷房運転、全暖房運転及び暖房メイン運転）における冷媒の流れについての説明を省略する。なお、図１及び図２における弁のうち、黒く塗りつぶした弁が閉じられている。
【００３３】
つぎに、冷房メイン運転における冷媒の流れについて図１及び図２を用いて説明する。図１及び図２は、室内機２０Ａを暖房装置とし運転するとともに、室内機２０Ｂを冷房装置として運転する例を示している。他のいくつかの室内機を冷房装置として運転し、他のいくつかの室内機を暖房装置として運転している。冷房メイン運転では、詳しくは後述するように、室外熱交換器１７の第１室外熱交換器１７１又は第２室外熱交換器１７２が選択されるように、第１四方切換弁１５及び第２四方切換弁１６が設定される。以下、第１室外熱交換器１７１が選択されている動作モード（図１参照）を第１モードと呼び、第２室外熱交換器１７２が選択されている動作モード（図２参照）を第２モードと呼ぶ。すなわち、第１モードでは、第１四方切換弁が第１の状態に設定され、第２四方切換弁が第２の状態に設定されるとともに、膨張弁１ａが開かれ、膨張弁１ｂが閉じられる。第２モードでは、第１四方切換弁が第２の状態に設定され、第２四方切換弁が第１の状態に設定されるとともに、膨張弁１ａが閉じられ、膨張弁１ｂが開かれる。動作モードの切り替え制御については後述することとし、ここでは、まず、室外機１０及び室内機２０Ａ，２０Ｂ，・・・における冷媒の流れの概略について説明する。なお、冷房メイン運転では、室外熱交換器１７（第１室外熱交換器１７１又は第２室外熱交換器１７２）は、凝縮器として機能する。また、暖房装置として運転する室内機２０Ａの開閉弁２３ａが開放され、且つ開閉弁２３ｂが閉鎖される。暖房装置として運転する他の室内機の開閉弁２３ａ，２３ｂに関しても、室内機２０Ａと同様に設定される。一方、冷房装置として運転する室内機２０Ｂの開閉弁２３ａが閉鎖され、且つ開閉弁２３ｂが開放される。冷房装置として運転する他の室内機の開閉弁２３ａ，２３ｂに関しても、室内機２０Ｂと同様に設定される。
【００３４】
圧縮機１１から吐出された高圧ガス状の冷媒は、オイルセパレーター１４に導入される。オイルセパレーター１４から吐出された冷媒が、高圧ガス管３２及び室外熱交換器１７に導入される。高圧ガス管３２に導入された冷媒は、暖房装置としての室内機（例えば室内機２０Ａ）の室内熱交換器２１に導入される。室内熱交換器２１に導入された高圧ガス状の冷媒は室内熱交換器２１内を流通する間に室内空気に熱を放出して凝縮する。このとき冷媒から放出された熱によって室内空気が暖められる。室内空気に熱を放出して凝縮した冷媒は室内熱交換器２１から排出され、冷房装置としての室内機（例えば室内機２０Ｂ）の室内熱交換器２１に導入される。
【００３５】
一方、オイルセパレーター１４から吐出されて室外熱交換器１７に導入された高圧ガス状の冷媒は室外熱交換器１７内を流通する間に外気に熱を放出して凝縮する。
【００３６】
外気に熱を放出して凝縮した冷媒が室外熱交換器１７から排出される。そして、膨張弁１６で膨張することにより低圧化され、ブリッジバルブ１ｄ、レシーバー１ｃ．過冷却コイル１ｅ及び液管３１をこの順に経由して、冷房装置としての室内機（例えば室内機２０Ｂ）の室内熱交換器２１に導入される。なお、上述した暖房装置としての室内機（例えば室内機２０Ａ）から排出された冷媒も、冷房装置としての室内機（例えば室内機２０Ｂ）の室内熱交換器２１に導入される。室内熱交換器２１に導入された冷媒は室内熱交換器２１内を流通する間に室内空気の熱を奪って蒸発する。このとき冷媒が室内空気の熱を奪うことによって室内空気が冷やされる。
【００３７】
室内空気の熱を奪って蒸発した冷媒は室内熱交換器２１から排出され、低圧ガス管３３を経由して、アキュムレーター１ｆに導入される。そして、低圧ガス状の冷媒が圧縮機１１の吸入口に帰還する。
【００３８】
冷房メイン運転において、制御装置ＣＴは、低圧センサ５１を用いて、圧縮機１１の吸入口側における冷媒の圧力を検出するとともに高圧センサ５２を用いて、圧縮機１１の吐出口側における冷媒の圧力を検出する。制御装置ＣＴは、前記検出した圧力、又は前記圧力に基づいて計算した値が、所定の目標値にそれぞれ一致するように、ガスエンジン１２の回転数及び各種弁を制御する。例えば、制御装置ＣＴは、低圧センサ５１を用いて検出した圧力に相当する飽和温度（低圧相当温度）の現在値が、所定の目標値に一致し、且つ高圧センサ５２を用いて検出した圧力に相当する飽和温度（高圧相当温度）の現在値ＴＰＨＰが、所定の目標値ＴＴＨＰに一致するように、ガスエンジン１２の回転数及び各種弁を制御する。
【００３９】
上記のように、例えば、低温環境下では、高温環境下に比べて、室外熱交換器１７にて冷媒が凝縮し易く、高圧相当温度の現在値ＴＰＨＰが目標値ＴＴＨＰよりも低くなる傾向にある。このように、ガスエンジン駆動式空気調和装置１の外気温度に応じて、室外熱交換器１７にて冷媒と室外空気との間でなされる単位時間当たりの熱交換量が変化する。そこで、制御装置ＣＴは、冷却ファン１８の回転数ＲＦを適宜変更するとともに、動作モードを切り替えて室外熱交換器１７の伝熱面積を変更することにより、室外熱交換器１７における単位時間当たりの熱交換量を適切な値に保持する。
【００４０】
具体的には、制御装置ＣＴは、図３乃至図７に示す室外熱交換器及び冷却ファン制御プログラムをメモリから読み出して実行する。制御装置ＣＴは、ステップＳ１０にて室外熱交換器及び冷却ファン制御処理を開始する。つぎに、制御装置ＣＴは、ステップＳ１１にて、初期化処理を実行する。例えば、制御装置ＣＴは、タイマーを用いて、経過時間ＴＭ（図４乃至図７参照）の計測を開始する。後述するように、動作モードが切り替えられるごとに、タイマーがリセットされる。したがって、経過時間ＴＭは、動作モードを切り替えてから経過した時間を表す。つぎに、制御装置ＣＴは、ステップＳ１２にて、温度センサ５３を用いて、ラジエーター１３の冷却水の温度の現在値ＴＰＷを検出する。つぎに、制御装置ＣＴは、ステップＳ１３にて、冷却水の温度の現在値ＴＰＷと所定の目標値ＴＴＷとの差を表す冷却水温度差ΔＴＷ（＝ＴＰＷ−ＴＴＷ）を計算する。つぎに、制御装置ＣＴは、ステップＳ１４にて、高圧センサ５２を用いて、圧縮機１１の吐出口側における冷媒の圧力を検出し、その圧力に相当する飽和温度である高圧相当温度の現在値ＴＰＨＰを計算する。つぎに、制御装置ＣＴは、ステップＳ１５にて、高圧相当温度の現在値ＴＰＨＰと目標値ＴＴＨＰとの差を表す高圧相当温度差ΔＴＨＰ（＝ＴＰＨＰ−ＴＴＨＰ）を計算する。つぎに、制御装置ＣＴは、ステップＳ１６にて、冷却水温度差ΔＴＷ及び高圧相当温度差ΔＴＨＰに応じて、次に実行する処理（処理Ａ、処理Ｂ、処理Ｃ及び処理Ｄのうちの１つ）を選択する。
【００４１】
具体的には、冷却水温度差ΔＴＷが「０」より大きく、且つ高圧相当温度差ΔＴＨＰが「０」より大きいとき、制御装置ＣＴは、処理Ａ（ステップＳ２０）を選択して実行する。また、冷却水温度差ΔＴＷが「０」より小さく、且つ高圧相当温度差ΔＴＨＰが「０」より小さいとき、制御装置ＣＴは、処理Ｂ（ステップＳ３０）を選択して実行する。また、冷却水温度差ΔＴＷが「０」より大きく、且つ高圧相当温度差ΔＴＨＰが「０」より小さいとき、制御装置ＣＴは、処理Ｃ（ステップＳ４０）を選択して実行する。また、冷却水温度差ΔＴＷが「０」より小さく、且つ高圧相当温度差ΔＴＨＰが「０」より大きいとき、制御装置ＣＴは、処理Ｄ（ステップＳ５０）を選択して実行する。冷却水温度差ΔＴＷ及び高圧相当温度差ΔＴＨＰが上記のいずれの条件にも当てはまらないとき、制御装置ＣＴは、ステップＳ１２に戻る。
【００４２】
つぎに、図４に示す処理Ａについて説明する。制御装置ＣＴは、ステップＳ２０にて、処理Ａを開始する。つぎに、制御装置ＣＴは、ステップＳ２１にて、冷却ファン１８の回転数ＲＦを増大させる。具体的には、制御装置ＣＴは、現在の回転数ＲＦに所定の補正値ΔＲＦ（例えば、１０ｍｉｎ―１）を加算して、回転数ＲＦを更新する。ただし、更新結果が最大値ＲＦｍａｘを超えるとき、制御装置ＣＴは、回転数ＲＦを最大値ＲＦｍａｘに設定する。つぎに、制御装置ＣＴは、ステップＳ２２にて、回転数ＲＦが最大値ＲＦｍａｘであるか否かを判定する。回転数ＲＦが最大値ＲＦｍａｘより小さいとき、制御装置ＣＴは、「Ｎｏ」と判定して、ステップＳ２７にて処理Ａを終了し、ステップＳ１２に戻る。一方、回転数ＲＦが最大値ＲＦｍａｘであるとき、制御装置ＣＴは、「Ｙｅｓ」と判定し、ステップＳ２３にて、ガスエンジン駆動式空気調和装置１の現在の動作モードが第２モードであるか否かを判定する。現在の動作モードが第１モードであるとき、制御装置ＣＴは、「Ｎｏ」と判定して、ステップＳ２７にて、処理Ａを終了し、ステップＳ１２に戻る。一方、現在の動作モードが第２モードであるとき、制御装置ＣＴは、「Ｙｅｓ」と判定して、ステップＳ２４にて、経過時間ＴＭが所定の時間ΔＴＭ（例えば５分）以上であるか否かを判定する。経過時間ＴＭが所定の時間ΔＴＭを下回るとき、制御装置ＣＴは、「Ｎｏ」と判定して、ステップＳ２７にて処理Ａを終了し、ステップＳ１１に戻る。一方、経過時間ＴＭが所定の時間ΔＴＭ以上であるとき、制御装置ＣＴは、「Ｙｅｓ」と判定して、ステップＳ２５にて、動作モードを第１モードに変更する。つぎに、制御装置ＣＴは、ステップＳ２６にて、経過時間ＴＭを初期化（「０」に設定）する。そして、制御装置ＣＴは、ステップＳ２７にて、処理Ａを終了し、ステップＳ１２に戻る。
【００４３】
つぎに、図５に示す処理Ｂについて説明する。制御装置ＣＴは、ステップＳ３０にて、処理Ｂを開始する。つぎに、制御装置ＣＴは、ステップＳ３１にて、冷却ファン１８の回転数ＲＦを減少させる。具体的には、制御装置ＣＴは、現在の回転数ＲＦから所定の補正値ΔＲＦ（例えば、１０ｍｉｎ―１）を減算して、回転数ＲＦを更新する。ただし、更新結果が最小値ＲＦｍｉｎ（例えば０ｍｉｎ―１）を下回るとき、制御装置ＣＴは、回転数ＲＦを最小値ＲＦｍｉｎに設定する。つぎに、制御装置ＣＴは、ステップＳ３２にて、回転数ＲＦが最小値ＲＦｍｉｎであるか否かを判定する。回転数ＲＦが最小値ＲＦｍｉｎより大きいとき、制御装置ＣＴは、「Ｎｏ」と判定して、ステップＳ３７にて処理Ｂを終了し、ステップＳ１２に戻る。一方、回転数ＲＦが最小値ＲＦｍｉｎであるとき、制御装置ＣＴは、「Ｙｅｓ」と判定し、ステップＳ３３にて、ガスエンジン駆動式空気調和装置１の現在の動作モードが第１モードであるか否かを判定する。現在の動作モードが第２モードであるとき、制御装置ＣＴは、「Ｎｏ」と判定して、ステップＳ３７にて、処理Ｂを終了し、ステップＳ１２に戻る。一方、現在の動作モードが第１モードであるとき、制御装置ＣＴは、「Ｙｅｓ」と判定して、ステップＳ３４にて、経過時間ＴＭが所定の時間ΔＴＭ（例えば５分）以上であるか否かを判定する。経過時間ＴＭが所定の時間ΔＴＭを下回るとき、制御装置ＣＴは、「Ｎｏ」と判定して、ステップＳ３７にて処理Ｂを終了し、ステップＳ１２に戻る。一方、経過時間ＴＭが所定の時間ΔＴＭ以上であるとき、制御装置ＣＴは、「Ｙｅｓ」と判定して、ステップＳ３５にて、動作モードを第２モードに変更する。つぎに、制御装置ＣＴは、ステップＳ３６にて、経過時間ＴＭを初期化する。そして、制御装置ＣＴは、ステップＳ３７にて、処理Ｂを終了し、ステップＳ１２に戻る。
【００４４】
つぎに、図６に示す処理Ｃについて説明する。制御装置ＣＴは、ステップＳ４０にて、処理Ｃを開始する。つぎに、制御装置ＣＴは、ステップＳ４１にて、冷却ファン１８の回転数ＲＦを増大させる。具体的には、制御装置ＣＴは、現在の回転数ＲＦに所定の補正値ΔＲＦ（例えば、１０ｍｉｎ―１）を加算して、回転数ＲＦを更新する。ただし、更新結果が最大値ＲＦｍａｘを超えるとき、制御装置ＣＴは、回転数ＲＦを最大値ＲＦｍａｘに設定する。つぎに、制御装置ＣＴは、ステップＳ４２にて、ガスエンジン駆動式空気調和装置１の現在の動作モードが第１モードであるか否かを判定する。現在の動作モードが第２モードであるとき、制御装置ＣＴは、「Ｎｏ」と判定して、ステップＳ４６にて、処理Ｃを終了し、ステップＳ１２に戻る。一方、現在の動作モードが第１モードであるとき、制御装置ＣＴは、「Ｙｅｓ」と判定して、ステップＳ４３にて、経過時間ＴＭが所定の時間ΔＴＭ（例えば５分）以上であるか否かを判定する。経過時間ＴＭが所定の時間ΔＴＭを下回るとき、制御装置ＣＴは、「Ｎｏ」と判定して、ステップＳ４６にて処理Ｃを終了し、ステップＳ１２に戻る。一方、経過時間ＴＭが所定の時間ΔＴＭ以上であるとき、制御装置ＣＴは、「Ｙｅｓ」と判定して、スステップＳ４４にて、動作モードを第２モードに変更する。つぎに、制御装置ＣＴは、ステップＳ４５にて、経過時間ＴＭを初期化する。そして、制御装置ＣＴは、ステップＳ４６にて、処理Ｃを終了し、ステップＳ１２に戻る。
【００４５】
つぎに、図７に示す処理Ｄについて説明する。制御装置ＣＴは、ステップＳ５０にて、処理Ｄを開始する。つぎに、制御装置ＣＴは、ステップＳ５１にて、ガスエンジン駆動式空気調和装置１の現在の動作モードが第２モードであるか否かを判定する。現在の動作モードが第１モードであるとき、制御装置ＣＴは、「Ｎｏ」と判定して、ステップＳ５２にて、冷却ファン１８の回転数ＲＦを増大させる。具体的には、制御装置ＣＴは、現在の回転数ＲＦに所定の補正値ΔＲＦ（例えば、１０ｍｉｎ―１）を加算して、回転数ＲＦを更新する。ただし、更新結果が最大値ＲＦｍａｘを超えるとき、制御装置ＣＴは、回転数ＲＦを最大値ＲＦｍａｘに設定する。そして、制御装置ＣＴは、ステップＳ５６にて、処理Ｄを終了し、ステップＳ１２に戻る。一方、現在の動作モードが第２モードであるとき、制御装置ＣＴは、「Ｙｅｓ」と判定して、ステップＳ５３にて、経過時間ＴＭが所定の時間ΔＴＭ（例えば５分）以上であるか否かを判定する。経過時間ＴＭが所定の時間ΔＴＭを下回るとき、制御装置ＣＴは、「Ｎｏ」と判定して、ステップＳ５６にて処理Ｄを終了し、ステップＳ１２に戻る。一方、経過時間ＴＭが所定の時間ΔＴＭ以上であるとき、制御装置ＣＴは、「Ｙｅｓ」と判定して、ステップＳ５４にて、動作モードを第１モードに変更する。つぎに、制御装置ＣＴは、ステップＳ５５にて、経過時間ＴＭを初期化する。そして、制御装置ＣＴは、ステップＳ５６にて、処理Ｃを終了し、ステップＳ１２に戻る。以降、制御装置ＣＴは、ステップＳ１２乃至ステップＳ１６、及びステップＳ１６にて選択した処理Ａ乃至処理Ｄのうちの１つからなる一連の処理を繰り返し実行する。なお、動作モードを一度切り替えてから所定の時間ΔＴＭが経過するまで、次の動作モードの切り替えが禁止される。
【００４６】
冷却水の温度の現在値ＴＰＷが目標値ＴＴＷより大きく、且つ高圧相当温度の現在値ＴＰＨＰが目標値ＴＴＨＰより大きいとき、ガスエンジン１２が過熱傾向にあり、且つ室外熱交換器１７において冷媒が凝縮し難い状態にあると考えられる。そこで、処理Ａにおいて、冷却ファン１８の回転数ＲＦを増大させることにより冷媒の凝縮を促進するとともに、ガスエンジン１２の冷却を促進する。冷却ファン１８の回転数ＲＦを最大に設定しても冷媒の凝縮をさらに促進する必要がある場合には、動作モードを第１モードに切り替えることにより室外熱交換器１７の伝熱面積を大きく設定する。
【００４７】
また、冷却水の温度の現在値ＴＰＷが目標値ＴＴＷより小さく、且つ高圧相当温度の現在値ＴＰＨＰが目標値ＴＴＨＰより小さいとき、ガスエンジン１２は十分に冷却されている状態にあり、且つ室外熱交換器１７において冷媒が凝縮し易い状態にあると考えられる。そこで、処理Ｂにおいて、冷却ファン１８の回転数ＲＦを減少させることにより冷媒の凝縮を抑制する。ガスエンジン１２は十分に冷却されていると考えられるので、冷却ファン１８の回転数ＲＦを減少させても問題ない。冷却ファン１８の回転数ＲＦを最小に設定しても（例えば、冷却ファン１８を停止させても）冷媒の凝縮をさらに抑制する必要がある場合には、動作モードを第２モードに切り替えることにより室外熱交換器１７の伝熱面積を小さく設定する。
【００４８】
また、冷却水の温度の現在値ＴＰＷが目標値ＴＴＷより大きく、且つ高圧相当温度の現在値ＴＰＨＰが目標値ＴＴＨＰより小さいとき、ガスエンジン１２は過熱傾向にあり、且つ室外熱交換器１７において冷媒が凝縮し易い状態にあると考えられる。そこで、処理Ｃにおいて、冷却ファン１８の回転数ＲＦを増大させることによりガスエンジン１２の冷却を促進する。冷却ファン１８の回転数ＲＦを増大させると、冷媒の凝縮がさらに促進されてしまう。そこで、動作モードが第１モードである場合には、第２モードに切り替えることにより室外熱交換器１７の伝熱面積を小さく設定して、冷媒の凝縮を抑制する。
【００４９】
また、冷却水の温度の現在値ＴＰＷが目標値ＴＴＷより小さく、且つ高圧相当温度の現在値ＴＰＨＰが目標値ＴＴＨＰより大きいとき、ガスエンジン１２は十分に冷却されている状態であり、且つ室外熱交換器１７において冷媒が凝縮し難い状態にあると考えられる。そこで、処理Ｄにおいて、冷却ファン１８の回転数ＲＦを増大させることによりガスエンジン１２の冷却を促進する。そこで、動作モードが第２モードである場合には、第１モードに切り替えることにより室外熱交換器１７の伝熱面積を大きく設定して、冷媒の凝縮を促進する。さらに、冷却ファン１８の回転数ＲＦを増大させることにより冷媒の凝縮を促進する。この場合、ガスエンジン１２の冷却がさらに促進されることになるが、とくに問題はない。
【００５０】
上記のように構成されたガスエンジン駆動式空気調和装置１によれば、冷却水温度差ΔＴＷ及び高圧相当温度差ΔＴＨＰに基づいて、冷却ファン１８の回転数ＲＦ及び室外熱交換器１７の伝熱面積が変更される。例えば、ガスエンジン１２の冷却を促進する必要があり、且つ室外熱交換器１７における冷媒の凝縮を抑制する必要がある場合には、冷却ファン１８の回転数ＲＦが増大されるとともに、室外熱交換器１７の伝熱面積が小さく設定される。これによれば、ガスエンジン１２を適切に冷却してガスエンジン１２の回転数を維持しつつ、冷媒の凝縮を抑制して高圧相当温度の現在値ＴＰＨＰを目標値ＴＴＨＰに近づけることができる。よって、本実施形態によれば、冷房メイン運転において、冷房室内及び暖房室内の快適性を保つことができる。
【００５１】
さらに、本発明の実施にあたっては、上記実施形態に限定されるものではなく、本発明の目的を逸脱しない限りにおいて種々の変更が可能である。
【００５２】
例えば、上記の室外熱交換器及び冷却ファン制御処理（図３乃至図７）は、図８のように変更できる。すなわち、制御装置ＣＴは、ステップＳ６０にて、室外熱交換器及び冷却ファン制御処理を開始する。つぎに、制御装置ＣＴは、ステップＳ６１にて、初期化処理を実行する。例えば、制御装置ＣＴは、タイマーを用いて、経過時間ＴＭの計測を開始する。
【００５３】
つぎに、制御装置ＣＴは、ステップＳ６２にて、冷却水の温度の現在値ＴＰＷに対応する回転数ＲＷを決定する。回転数ＲＷは、冷却ファン１８の回転数ＲＦの候補の１つである。所定の計算式に基づいて回転数ＲＷを決定してもよいし、予め作成されたデータベースに従って回転数ＲＷを決定しても良い。つぎに、制御装置ＣＴは、ステップＳ６３にて、高圧相当温度の現在値ＴＰＨＰに対応する回転数ＲＨＰを決定する。回転数ＲＨＰは、冷却ファン１８の回転数ＲＦの候補の１つである。所定の計算式に基づいて回転数ＲＨＰを決定してもよいし、予め作成されたデータベースに従って回転数ＲＨＰを決定しても良い。
【００５４】
つぎに、制御装置ＣＴは、ステップＳ６４にて、回転数ＲＷが回転数ＲＨＰ以上であるか否かを判定する。回転数ＲＷが回転数ＲＨＰ以上であるとき、制御装置ＣＴは、「Ｙｅｓ」と判定し、ステップＳ６５にて、冷却ファン１８の回転数ＲＦ（実回転数）を回転数ＲＷに設定し、ステップＳ６７に処理を進める。一方、回転数ＲＷが回転数ＲＨＰより小さいとき、制御装置ＣＴは、「Ｎｏ」と判定し、ステップＳ６６にて、冷却ファン１８の回転数ＲＦ（実回転数）を回転数ＲＨＰに設定し、ステップＳ６７に処理を進める。
【００５５】
つぎに、制御装置ＣＴは、動作モードの切り替え処理を実行する。ただし、動作モードを切り替えてから所定の時間が経過するまで動作モードの切り替えが禁止される。具体的には、制御装置ＣＴは、ステップＳ６７にて、経過時間ＴＭが所定の時間ΔＴＭ（例えば５分）以上であるか否かを判定する。経過時間ＴＭが所定の時間ΔＴＭを下回るとき、制御装置ＣＴは、「Ｎｏ」と判定して、制御装置ＣＴは、動作モードを切り替えることなく、ステップＳ６２に戻る。一方、経過時間ＴＭが所定の時間ΔＴＭ以上であるとき、制御装置ＣＴは、「Ｙｅｓ」と判定して、ステップＳ６８に処理を進める。制御装置ＣＴは、ステップＳ６８にて、高圧相当温度の現在値ＴＰＨＰが所定の閾値ＴＴＨ以上であるか否かを判定する。高圧相当温度の現在値ＴＰＨＰが所定の閾値ＴＴＨ以上であるとき、制御装置ＣＴは、「Ｙｅｓ」と判定して、ステップＳ６９にて、動作モードを第１モードに設定する。一方、高圧相当温度の現在値ＴＰＨＰが所定の閾値ＴＴＨより小さいとき、制御装置ＣＴは、「Ｎｏ」と判定して、ステップＳ６ａにて、動作モードを第２モードに設定する。つぎに、制御装置ＣＴは、ステップＳ６ｂにて、経過時間ＴＭを初期化して、ステップＳ６２に処理を進める。以降、制御装置ＣＴは、ステップＳ６２〜ステップＳ６ｂからなる一連の処理を繰り返し実行する。
【００５６】
図８に示す室外熱交換器及び冷却ファン制御処理では、冷却ファン１８の回転数ＲＦが冷却水の温度の現在値ＴＰＷ及び高圧相当温度の現在値ＴＰＨＰに基づいて決定される。また、高圧相当温度の現在値ＴＰＨＰと所定の閾値ＴＴＨとの関係に基づいて、動作モードが切り替えられる。例えば、高圧相当温度の現在値ＴＰＨＰがある程度低く、室外熱交換器１７において冷媒が凝縮し易いと考えられる状況であっても、冷却水の温度が比較的高い場合（ＲＷ＞ＲＨＰ）には、ガスエンジン１２の冷却が優先される。すなわち、冷却水の温度の現在値ＴＰＷに対応する回転数ＲＷが冷却ファン１８の回転数ＲＦとして用いられる。この場合、室外熱交換器１７における冷媒の凝縮がさらに促進されることになるが、高圧相当温度の現在値ＴＰＨＰと所定の閾値ＴＴＨとの関係に基づいて、動作モードが第２モードに設定される。すなわち、室外熱交換器１７の伝熱面積が小さく設定される。これにより、ガスエンジン１２を適切に冷却してガスエンジン１２の回転数を維持しつつ、冷媒の凝縮を抑制して高圧相当温度の現在値ＴＰＨＰを目標値ＴＴＨＰに近づけることができる。よって、冷房メイン運転において、冷房室内及び暖房室内の快適性を保つことができる。
【００５７】
なお、上記実施形態では、第１室外熱交換器１７１及び室外熱交換器１７２のうちのいずれか一方に冷媒を流通させているが、冷媒の凝縮をさらに促進する必要がある場合には、第１室外熱交換器１７１及び第２室外熱交換器１７２に、冷媒を同時に流通させてもよい。また、第１室外熱交換器１７１の伝熱面積と第２室外熱交換器１７２の伝熱面積とを同一に設定しておき、冷媒の凝縮を抑制する場合に、第１室外熱交換器１７１又は第２室外熱交換器１７２に冷媒を流通させ、冷媒の凝縮を促進する場合に、第１室外熱交換器１７１及び第２室外熱交換器１７２に、冷媒を同時に流通させてもよい。また、上記実施形態では、室外熱交換器１７が第１室外熱交換器１７１及び第２室外熱交換器１７２から構成されているが、室外熱交換器１７が、より多くの熱交換器から構成されていてもよい。この場合、室外熱交換器１７を構成する複数の熱交換器のうち、冷媒を流通させる１つ又は複数の熱交換器を、冷媒の凝縮速度（凝縮し易さ）に応じて選択すればよい。また、上記のガスエンジン駆動式空気調和装置１は、１台の室外機１０を備えているが、ガスエンジン駆動式空気調和装置１が複数台の室外機１０を備えていてもよい。
【符号の説明】
【００５８】
１・・・ガスエンジン駆動式空気調和装置、１０・・・室外機、１１・・・圧縮機、１２・・・ガスエンジン、１３・・・ラジエーター、１５・・・第１四方切替弁、１６・・・第２四方切替弁、１７・・・室外熱交換器、１７１・・・第１室外熱交換器、１７２・・・第２室外熱交換器、１８・・・冷却ファン、２０Ａ，２０Ｂ・・・室内機、２１・・・室内熱交換器、３０・・・冷媒管、５１・・・低圧センサ、５２・・・高圧センサ、５３・・・温度センサ、ＣＴ・・・制御装置、ＲＦ・・・回転数、ＲＨＰ・・・回転数、ＲＷ・・・回転数、ＴＭ・・・経過時間、ＴＰＨＰ・・・高圧相当温度の現在値、ＴＰＷ・・・冷却水の温度の現在値、ＴＴＨＰ・・・高圧相当温度の目標値、ＴＴＷ・・・冷却水の温度の目標値、ΔＴＨＰ・・・高圧相当温度差、ΔＴＷ・・・冷却水温度差
【図１】
2019158249.tif 000003
【図２】
2019158249.tif 000004
【図３】
2019158249.tif 000005
【図４】
2019158249.tif 000006
【図５】
2019158249.tif 000007
【図６】
2019158249.tif 000008
【図７】
2019158249.tif 000009
【図８】
2019158249.tif 000010